【手続補正書】
【提出日】平成24年2月22日(2012.2.22)
【手続補正１】
【補正対象書類名】明細書
【補正対象項目名】００１４
【補正方法】変更
【補正の内容】
【００１４】
【図１】本発明の第１実施形態による使用済燃料貯蔵ラック構造を示す全体構成図。
【図２】図１の平面図。
【図３】図２に示したラック構造の変形例を示す図であり、（ａ）は平面図、（ｂ）は（ａ）の一部を拡大して示す部分的な拡大図。
【図４】本発明の第１実施形態の別の変形例を示す使用済燃料貯蔵ラック構造の全体構成図。
【図５】本発明の第２実施形態による使用済燃料貯蔵ラックのセルの構成を示す平面図。
【図６】図５のＡ−Ａ線断面図。
【図７】本発明の第３実施形態による使用済燃料貯蔵ラックのセルの構成を示す平面図。
【図８】図７の側面図。
【図９】本発明の第４実施形態による使用済燃料貯蔵ラックのセルの構成を示す側面図。
【図１０】本発明の第５実施形態による使用済燃料貯蔵ラックのセルの構成を示す平面図。
【図１１】図１０の側面図。
【図１２】本発明の第６実施形態による使用済燃料貯蔵ラックのセルの構成を示す平面図。
【図１３】本発明の第７実施形態による使用済燃料貯蔵ラックのセルの構成を示す平面図。
【図１４】本発明の第８実施形態による使用済燃料貯蔵ラックのセルの構成を示す平面図。
【図１５】本発明の第９実施形態による使用済燃料貯蔵ラックのセルの構成を示す平面図。
【図１６】図１５のＢ−Ｂ線断面図。
【図１７】本発明の第１０実施形態による使用済燃料貯蔵ラックのセルの構成を示す平面図。
【図１８】図１７の一部を切断して示す側面図。
【手続補正２】
【補正対象書類名】明細書
【補正対象項目名】００１６
【補正方法】変更
【補正の内容】
【００１６】
［第１実施形態（図１〜図４）］
図１は、本発明の第１実施形態による使用済燃料貯蔵ラック１（１ａ）の構造を示す全体側面図であり、図２は図１の平面図である。
【手続補正３】
【補正対象書類名】明細書
【補正対象項目名】００４９
【補正方法】変更
【補正の内容】
【００４９】
図７および図８に示すように、本実施形態のセル５（５Ｃ）は、高ボロン濃度のボロンステンレス鋼板製平板１１（１１ａ，１１ｂ，１１ｃ，１１ｄ）とステンレス鋼板１４（１４ａ，１４ｂ，１４ｃ，１４ｄ）とを重合した重合板を縦横に交差させ、井桁状に組立てた構成としてある。
【手続補正４】
【補正対象書類名】明細書
【補正対象項目名】００５１
【補正方法】変更
【補正の内容】
【００５１】
各ステンレス鋼板製の平板１１および外板１４ａ，１４ｂ，１４ｃ，１４ｄの両端部はそれぞれ四角形筒状部分の外側に突出しており、これら各外板１４ａ，１４ｂ，１４ｃ，１４ｄの各突出部１５同士が交差するコーナ部の外側隅角部をコーナ溶接部１６‥によって接合してある。
【手続補正５】
【補正対象書類名】明細書
【補正対象項目名】００５６
【補正方法】変更
【補正の内容】
【００５６】
本実施形態のセル５（５ｄ）が第３実施形態と異なる点は、ボロンステンレス鋼板製の平板１１ａ，１１ｂ，１１ｃ，１１ｄまたはステンレス鋼板製外板１４ａ，１４ｂ，１４ｃ，１４ｄの板面の一部を切り欠き、セル５（５ｄ）の側壁部分に内外方向に連通する孔（貫通孔）１７‥を穿設した構成にある。
【手続補正６】
【補正対象書類名】明細書
【補正対象項目名】００５７
【補正方法】変更
【補正の内容】
【００５７】
具体的には図９に示すように、ステンレス鋼板製の平板１１ａ‥の一部を切り欠きして、四角形状の複数の貫通孔１７‥を上下方向に複数形成してある。なお、貫通孔１７‥の形状、数量および配置等については種々変更することができる。
【手続補正７】
【補正対象書類名】明細書
【補正対象項目名】００５８
【補正方法】変更
【補正の内容】
【００５８】
本実施形態によれば、ボロンステンレス鋼板製の平板１１またはステンレス鋼板１４に貫通孔１７を形成したことにより、重量を軽減することができ、これによりセル５（５ｄ）全体の軽量化を図ることができる。
【手続補正８】
【補正対象書類名】明細書
【補正対象項目名】００６０
【補正方法】変更
【補正の内容】
【００６０】
本実施形態のセル５（５ｅ）は、第４実施形態と略同様の組立て構成を有するものであり、全体の構成については説明を省略する。
本実施形態が第４実施形態と異なる点は、ステンレス鋼板製平板１４ａ，１４ｂの幅寸法を小さくし、これらをボロンステンレス鋼板製の平板１１ａ，１１ｂ，１１ｃ，１１ｄの互いに交差する部位（ステンレス鋼板製平板１４ａと１４ｂ）の外面４箇所にのみ配置して、コーナ溶接部１６により固定した構成にある。
【手続補正９】
【補正対象書類名】明細書
【補正対象項目名】００６１
【補正方法】変更
【補正の内容】
【００６１】
すなわち、本実施形態では、セル５（５ｅ）を構成するステンレス鋼板製の平板１１ａ，１１ｂを４箇所の交差部分にのみ配置して溶接固定することで、外面の各ステンレス鋼板製平板１４ａ，１４ｂの幅寸法を小さくし、ボロンステンレス鋼板製の平板１１ａ，１１ｂ，１１ｃ，１１ｄの幅方向中央側の部分にはステンレス鋼板を配置しない構成としてある。これにより、ステンレス鋼板製の平板１４ａ，１４ｂの重量が軽減されたものとなる。
【手続補正１０】
【補正対象書類名】明細書
【補正対象項目名】００６２
【補正方法】変更
【補正の内容】
【００６２】
したがって、本実施形態によれば、外面のステンレス鋼板製の平板１１ａ，１１ｂの一部を切り欠く構成とし、セル５を構成するステンレス鋼板製の平板１１ａ，１１ｂを４箇所の交差部分にのみ配置することで、外面の各ステンレス鋼板製平板１４ａ，１４ｂの軽量化、ひいてはセル５（５ｅ）全体の重量を軽減し、さらに軽量化を図ることができる。
【手続補正１１】
【補正対象書類名】明細書
【補正対象項目名】００８６
【補正方法】変更
【補正の内容】
【００８６】
このように、高ボロン濃度のボロンステンレス鋼板製の平板１１ａ，１１ｂ，１１ｃ、１１ｄが四角筒形に組合わされ、その四隅部の外側に横断面Ｌ字型の柱２５がそれぞれ設置され、隣接する１対の柱２５が相互に接続部材２６により接合されて、セル５（５ｊ）が構成されている。
【手続補正１２】
【補正対象書類名】明細書
【補正対象項目名】００８８
【補正方法】変更
【補正の内容】
【００８８】
１（１ａ〜１ｃ）  使用済燃料貯蔵ラック
２  ベース
２ａ，２ｂ  ボロンステンレス鋼板製の平板
３（３ａ，３ｂ，３ｃ，３ｄ，３ｅ）  柱部材
４  枠板
４ａ  上部枠板
４ｂ  中間枠板
４ｃ  下部枠
５（５ｂ〜５ｊ）  セル
６  補強梁（上部補強梁）
７  補強梁（下部補強梁）
９  スリット
１１（１１ａ，１１ｂ，１１ｃ，１１ｄ）  高ボロン濃度のボロンステンレス鋼板製平板
１２  溝部
１２ａ  スリット
１３  突起部
１３ａ  返り部
１４  ステンレス鋼板製の外板
１５  突出部
１６  コーナ溶接部
１７  貫通孔
１８  突出部
１９  切欠きバー
２０  スリット
２１  スリット
２２  抜け防止部材
２３  スリット
２４ａ，２４ｂ  楔
２５  柱
２６  接続部材
【手続補正１３】
【補正対象書類名】図面
【補正対象項目名】図３
【補正方法】変更
【補正の内容】
【図３】
2010243456.tif 000001
【手続補正１４】
【補正対象書類名】図面
【補正対象項目名】図８
【補正方法】変更
【補正の内容】
【図８】
2010243456.tif 000002
【手続補正１５】
【補正対象書類名】図面
【補正対象項目名】図９
【補正方法】変更
【補正の内容】
【図９】
2010243456.tif 000003
【手続補正１６】
【補正対象書類名】図面
【補正対象項目名】図１０
【補正方法】変更
【補正の内容】
【図１０】
2010243456.tif 000004
【手続補正１７】
【補正対象書類名】図面
【補正対象項目名】図１１
【補正方法】変更
【補正の内容】
【図１１】
2010243456.tif 000005